(57)【要約】【課題】ユーザの操作性がよい画像形成装置を提供する。【解決手段】操作／表示部に画面４０１が表示されている状態で、ユーザは用紙サイズの設定を行なう。ＯＫキー４０１−２が押下されると、操作／表示部の表示内容は、画面４０２に遷移する。画面４０２において、再度用紙サイズの設定キー４０２−１が押下されると、表示は画面４０３に遷移する。ユーザが画面４０１で用紙サイズＡ３を設定した結果、用紙サイズＡ３の設定の使用頻度が所定のしきい値を超えた場合には、Ａ３モードキー４０３−１のサイズが中サイズに変更となる。使用頻度が上がるごとに設定キーのサイズが大きくなるため、よく使われるキーが見やすく、かつ押しやすくなる。【選択図】図６
2008304509.tif 000002
【特許請求の範囲】
【請求項１】
ユーザから設定を受付けるための入力部を表示する表示手段と、
前記入力部を用いて設定を受付けた頻度を記録する記録手段と、
前記頻度に基づいて、前記入力部のサイズを変更する変更手段とを備えた、画像形成装置。
【請求項２】
前記表示手段は、それぞれが別の機能を設定するための複数の入力部を表示し、
前記記録手段は、
前記機能毎にその機能の使用回数をカウントする第１のカウント手段と、
装置の使用回数をカウントする第２のカウント手段とを備え、
前記変更手段は、前記入力部のサイズを段階的に変更する、請求項１に記載の画像形成装置。
【請求項３】
装置を使用するユーザを識別する識別手段をさらに備え、
前記記録手段は、ユーザごとに前記入力部を用いて設定を受付けた頻度を記録し、
前記変更手段は、前記識別されたユーザに対応する前記記録手段の記録に基づいて、前記入力部のサイズを変更する、請求項１または２に記載の画像形成装置。
【請求項４】
前記変更手段は、前記表示手段における表示のレイアウトを変更する、請求項１から３のいずれかに記載の画像形成装置。
【請求項５】
前記変更手段は、前記頻度に基づいて、前記入力部が強調表示となるように変更を行なう、請求項１から４のいずれかに記載の画像形成装置。
【請求項６】
ユーザから設定を受付けるための入力部を表示する表示ステップと、
前記入力部を用いて設定を受付けた頻度を記録する記録ステップと、
前記頻度に基づいて、前記入力部のサイズを変更する変更ステップとを備えた、画像形成装置の制御方法。
【請求項７】
ユーザから設定を受付けるための入力部を表示する表示ステップと、
前記入力部を用いて設定を受付けた頻度を記録する記録ステップと、
前記頻度に基づいて、前記入力部のサイズを変更する変更ステップとをコンピュータに実行させる、画像形成装置の制御プログラム。
【発明の詳細な説明】
【技術分野】
【０００１】
この発明は画像形成装置、画像形成装置の制御方法、および画像形成装置の制御プログラムに関し、特に入力部を表示し、その入力部から機能の設定を受付ける画像形成装置、画像形成装置の制御方法、および画像形成装置の制御プログラムに関する。
【背景技術】
【０００２】
画像形成装置（ＭＦＰ（Multi Function Peripheral）、ファクシミリ装置、複写機、プリンタなど）においては、液晶表示装置を備えたタッチパネルなどを搭載し、画面に表示された設定キー（入力部）をユーザが押下することで操作を受付けるものが多い。キーが押されると、そのキー入力に対応した、複数の新たなキーを含む一段下の階層の選択画面が表示され、最終の入力の受付けが完了するまで、選択画面が表示される。
【０００３】
画像形成装置のコンパネに関する技術として、下記特許文献１は、スイッチの使用頻度を記憶して、スイッチの表示位置を決定する技術を開示している。
【特許文献１】特開平８−３３５０１０号公報
【発明の開示】
【発明が解決しようとする課題】
【０００４】
近年の画像形成装置は多機能であり、画面の階層が複雑化し、ユーザーが頻繁に使う機能に対してのアクセス性が低下してきている。このようなアクセス性の低下を防ぐために、機能の使用頻度に応じて自動的に階層を変更することが考えられる。
【０００５】
しかしながらこの場合、階層を変更したことによりかえってユーザーの利便性が低下することがあるという新たな問題が生じていた。
【０００６】
この発明はそのような問題点を解決するためになされたものであり、ユーザの操作性がよい画像形成装置、画像形成装置の制御方法、および画像形成装置の制御プログラムを提供することを目的としている。
【課題を解決するための手段】
【０００７】
上記目的を達成するためこの発明のある局面に従うと、画像形成装置は、ユーザから設定を受付けるための入力部を表示する表示手段と、入力部を用いて設定を受付けた頻度を記録する記録手段と、頻度に基づいて、入力部のサイズを変更する変更手段とを備える。
【０００８】
好ましくは表示手段は、それぞれが別の機能を設定するための複数の入力部を表示し、記録手段は、機能毎にその機能の使用回数をカウントする第１のカウント手段と、装置の使用回数をカウントする第２のカウント手段とを備え、変更手段は、入力部のサイズを段階的に変更する。
【０００９】
好ましくは画像形成装置は、装置を使用するユーザを識別する識別手段をさらに備え、記録手段は、ユーザごとに前記入力部を用いて設定を受付けた頻度を記録し、変更手段は、識別されたユーザに対応する記録手段の記録に基づいて、入力部のサイズを変更する。
【００１０】
好ましくは変更手段は、表示手段における表示のレイアウトを変更する。
【００１１】
好ましくは変更手段は、頻度に基づいて、入力部が強調表示となるように変更を行なう。
【００１２】
この発明の他の局面に従うと画像処理装置の制御方法は、ユーザから設定を受付けるための入力部を表示する表示ステップと、入力部を用いて設定を受付けた頻度を記録する記録ステップと、頻度に基づいて、入力部のサイズを変更する変更ステップとを備える。
【００１３】
この発明のさらに他の局面に従うと画像処理装置の制御プログラムは、ユーザから設定を受付けるための入力部を表示する表示ステップと、入力部を用いて設定を受付けた頻度を記録する記録ステップと、頻度に基づいて、入力部のサイズを変更する変更ステップとをコンピュータに実行させる。
【発明の効果】
【００１４】
これらの発明に従うと、ユーザの操作性がよい画像形成装置、画像形成装置の制御方法、および画像形成装置の制御プログラムを提供することが可能となる。
【発明を実施するための最良の形態】
【００１５】
以下、本発明の実施の形態における画像形成装置について説明する。
【００１６】
[第１の実施の形態]
【００１７】
図１は、第１の実施の形態における画像形成装置の外観を示す斜視図である。
【００１８】
図を参照して画像形成装置には、原稿から画像を読み取るスキャナを備えた画像入力部１と、ユーザの操作を受付ける操作／表示部（操作パネル部）４と、プリンタエンジンを備えた画像出力部２と、画像をプリントするための用紙を収容する用紙収納部１９とが備えられている。
【００１９】
図２は、画像形成装置の制御装置のブロック図である。
【００２０】
画像形成装置は、任意の画像を光学式に読取って電子データに変換する画像入力部（スキャナ）１と、画像データを所定の用紙に印刷する画像出力部（プリンタ）２とを備える。また、内部にＲＯＭ８、ワークメモリ９、および制御部７を有する。
【００２１】
画像形成装置はさらに、ＬＡＮまたは電話回線を通じて外部との間で通信を行なう通信部１０と、画像入力部１で入力し、または通信部１０を介して外部から与えられた画像データを一時的に格納する画像メモリ部３と、種々の操作入力を行なうとともに、操作にかかわる種々の設定情報等を表示する操作／表示部４と、画像データの圧縮および復号を行なう圧縮／復号部５と、電子メールの送受信を行うメーラ（電子メール送受信用アプリケーション）６と、画像データのファイル形式および電子メールファイル形式等の種々のファイル変換を行うファイル変換部１２と、外部接続用の外部インターフェイス部１１とを備える。
【００２２】
なお実際には、ワークメモリ９と画像メモリ部３には、同一の揮発性メモリが共用される。操作／表示部４でユーザーが指令したことに応じて与えられる操作信号に基づいて、制御部７は、ＲＯＭ８内に予め格納されたソフトウェアプログラムに従って動作する。この画像処理装置内のソフトウェアプログラムの実行手順については後述する。
【００２３】
画像入力部１は、ＣＣＤ等のイメージセンサ、スライダ制御部、各種画像処理制御部等により構成され、原稿を光学的に読取り、電気信号に変換する。
【００２４】
画像出力部２は、レーザやインクジェット等のエンジン制御部、各種画像処理制御部等により構成され、電気信号から記録紙上への出力画像を作成する。
【００２５】
画像メモリ部３は、画像入力部１により入力した画像データや、通信部１０、外部インターフェイス部１１から入力した画像データを格納する。また、画像データを圧縮／復号部５により圧縮処理した後、符号データを格納する。
【００２６】
操作／表示部４は、テンキーやスタートキー、ＬＣＤ（液晶表示器）等などから構成されるユーザーインタフェイス部であり、モードの選択や簡単なキー入力操作を行う。
【００２７】
圧縮／復号部５は、入力された画像データを必要に応じて圧縮し、または符号データを伸張する。
【００２８】
制御部７は、各ブロック１〜１５の全体を制御するＣＰＵおよび周辺回路からなり、システムバスを介して接続されている。また制御部７は、制御プログラムや制御データを格納するＲＯＭや制御変数等の一時記憶用に使用されるＲＡＭなどに接続されている。
【００２９】
通信部１０は、モデムやＮＣＵを用いて電話回線を用いた通信手段や、図示しないＬＡＮ制御部を介してネットワークに接続し、他の通信装置との間で画像情報等の送受信を行う。
【００３０】
ユーザ認証部１３は、複数のユーザのそれぞれに対する認証情報を保持／設定する。
【００３１】
モードカウント部１４は、モード（機能）が設定された回数、およびマシンの総使用回数などをカウントする。これにより、モードごとの使用頻度情報を作成する。
【００３２】
画面表示変更部１５は、モードカウント部１４の使用頻度情報に応じて、設定キーのサイズおよび画面レイアウトを段階的に変更する。
【００３３】
図３は、モードカウント部１４が記憶する使用頻度テーブルの具体例を示す図である。
【００３４】
図に示されるように、モード（機能）ごとに、そのモードが使用された頻度が記録される。たとえば頻度は、（そのモードが設定された回数）／（マシンの総使用回数）などの計算式で求めることができる。ここでは、用紙サイズの設定として、Ａ３、Ａ４縦、Ａ４横のそれぞれがどのような頻度で使用されているかを記録する例を示している。もちろん、画像形成条件の他の機能を記録することもできる。
【００３５】
図４は、画面表示変更部１５が記憶する使用頻度のしきい値と設定キーの表示サイズの関係を示すテーブルの具体例である。
【００３６】
ここではある機能設定キーの使用頻度が２０％以上であれば小サイズ、５０％以上であれば中サイズ、８０％以上であれば大サイズでそのキーを表示することが記録されている。
【００３７】
図５は、設定キー（サイズ変更対象）を含む画面の表示処理を示すフローチャートである。
【００３８】
図を参照して、ステップＳ１０１において、各設定機能（設定キー）ごとに使用頻度を計算する（図３）。ステップＳ１０３において、使用頻度がサイズ変更のしきい値（図４）を超えている機能設定キーがあるかを判定し、ＹＥＳであればステップＳ１０５で使用頻度によりキーサイズを変更し、その画面表示を行なう。
【００３９】
ステップＳ１０３において、使用頻度がサイズ変更のしきい値（図４）を超えている機能設定キーがない場合には、ステップＳ１０７で、キーのサイズがすべて通常のデフォルトの画面を表示する。
【００４０】
図６は、操作／表示部（本体操作パネル）４の表示の変化を説明するための図である。
【００４１】
ここでは、画像形成装置の操作／表示部４でモードを設定した後に、再度モード設定画面で設定キーが表示される例について示している。
【００４２】
ここではモードとして、用紙サイズＡ３、用紙サイズＡ４縦、用紙サイズＡ４横の３種類のモードがあり、ユーザがいずれかを設定するものとする。図６では、ユーザが用紙サイズＡ３と設定した結果、用紙サイズＡ３の設定の使用頻度が５０％を超えた場合を例示している。使用頻度とキーサイズとの関係は、図４のマトリックスを用いて決定される。
【００４３】
操作／表示部４に画面４０１が表示されている状態で、ユーザは用紙サイズの設定を行なう。ユーザはＡ３モードキー４０１−１を押下して、ＯＫキー４０１−２を押下することで、サイズ確定を行なったものとする。ＯＫキー４０１−２が押下されると、操作／表示部４の表示内容は、画面４０２に遷移する。画面４０２は、画面４０１の１つ上の階層の画面である。画面４０２において、再度用紙サイズの設定キー４０２−１が押下されると、表示は画面４０３に遷移する。
【００４４】
この際、ユーザが画面４０１で用紙サイズＡ３を設定した結果、用紙サイズＡ３の設定の使用頻度が５０％を超えた場合には、Ａ３モードキー４０３−１のサイズを中サイズに変更することが確定され、キーサイズの変更が行なわれる。
【００４５】
なお、ここでは用紙サイズの設定後、すぐに用紙サイズの設定画面に戻っているが、ジョブ実行後の次の設定時に用紙サイズの設定画面に戻ってもよい。
【００４６】
以上のように、本実施の形態では使用頻度が上がるごとに設定キーのサイズが大きくなる。これにより、よく使われるキーが見やすく、かつ押しやすくなるため、ユーザの操作性を上げることができる。
【００４７】
［第２の実施の形態］
【００４８】
本発明の第２の実施の形態における画像形成装置のハードウェア構成については、第１の実施の形態におけるそれと同じであるためここでの説明を繰り返さない。
【００４９】
第２の実施の形態における画像形成装置は、ユーザ認証を行なった上で、ユーザ毎に機能設定の使用頻度を計算し、ユーザごとにそのユーザに適した表示を行なう。
【００５０】
図７は、第２の実施の形態における設定キー（サイズ変更対象）を含む画面の表示処理を示すフローチャートである。
【００５１】
図を参照して、ステップＳ２０１において画像形成装置を用いるユーザの個人認証を行なう。ステップＳ２０３で設定キーを含む画面を表示する準備を行なう。
【００５２】
ステップＳ２０５において、認証したユーザごとの各設定機能（設定キー）ごとに使用頻度を計算する。本実施の形態においては、図３のテーブルをユーザごとにメモリに保持すればよい。ステップＳ２０７において、使用頻度がサイズ変更のしきい値（図４）を超えている機能設定キーがあるかを判定し、ＹＥＳであればステップＳ２０９で使用頻度によりキーサイズを変更し、その画面表示を行なう。
【００５３】
ステップＳ２０７において、使用頻度がサイズ変更のしきい値（図４）を超えている機能設定キーがない場合には、ステップＳ２１１で、キーのサイズがすべて通常のデフォルトの画面を表示する。
【００５４】
図８は、第２の実施の形態における画像形成装置の操作／表示部（本体操作パネル）４の表示の変化を説明するための図である。
【００５５】
先ず操作／表示部（本体操作パネル）には、画面６０１が表示され、ユーザのログイン名およびパスワードの入力を受付ける。ログインキー６０１−１が押下され、登録されたユーザの使用であることが確認されると、そのユーザに対応する機能の使用頻度のテーブル（図３）が読み出される。
【００５６】
その後、操作／表示部４の表示内容は、画面６０２に遷移する。画面６０２において、用紙サイズの設定キー６０２−１が押下されると、表示は画面６０３に遷移する。
【００５７】
この際、ログインしたユーザにおける用紙サイズＡ３の設定の使用頻度が５０％を超えている場合には、Ａ３モードキー６０３−１のサイズを中サイズに変更することが確定され、キーサイズの変更が行なわれる。
【００５８】
［第３の実施の形態］
【００５９】
本発明の第３の実施の形態における画像形成装置のハードウェア構成については、第１の実施の形態におけるそれと同じであるためここでの説明を繰り返さない。
【００６０】
第３の実施の形態における画像形成装置は、第１の実施の形態と同様に使用頻度に応じてキーサイズを変更する。変更した結果、画面に入りきらなくなった場合（キーが大きくなりすぎる場合など）には、画面レイアウトの変更を行なう。
【００６１】
図９は、第３の実施の形態における設定キー（サイズ変更対象）を含む画面の表示処理を示すフローチャートである。
【００６２】
図を参照して、ステップＳ３０１において、各設定機能（設定キー）ごとに使用頻度を計算する（図３）。ステップＳ３０３において、使用頻度がサイズ変更のしきい値（図４）を超えている機能設定キーがあるかを判定する。ＹＥＳであれば、ステップＳ３０５においてキーサイズを変更しても画面内にキーが干渉なく収まるかを判定する。
【００６３】
ステップＳ３０５でＹＥＳであれば、ステップＳ３０７で使用頻度によりキーサイズを変更し、その画面表示を行なう。
【００６４】
一方ステップＳ３０５でＮＯであれば、ステップＳ３１１で画面レイアウトを変更することで、キー同士が干渉しないようにする。また、使用頻度によりキーサイズを変更し、その画面表示を行なう。
【００６５】
ステップＳ３０３において、使用頻度がサイズ変更のしきい値（図４）を超えている機能設定キーがない場合には、ステップＳ３０９で、キーのサイズがすべて通常のデフォルトの画面を表示する。
【００６６】
図１０は、第３の実施の形態における操作／表示部（本体操作パネル）４の表示の変化を説明するための図である。
【００６７】
ここでは、画像形成装置の操作／表示部４でモードを設定した後に、再度モード設定画面で設定キーが表示される例について示している。図１０では、ユーザが用紙サイズＡ３と設定した結果、用紙サイズＡ３の設定の使用頻度が８０％を超えた場合を例示している。
【００６８】
操作／表示部４に画面８０１が表示されている状態で、ユーザは用紙サイズの設定を行なう。ユーザはＡ３モードキー８０１−１を押下して、ＯＫキー８０１−２を押下することで、サイズ確定を行なったものとする。ＯＫキー８０１−２が押下されると、操作／表示部４の表示内容は、画面８０２に遷移する。画面８０２は、画面８０１の１つ上の階層の画面である。画面８０２において、再度用紙サイズの設定キー８０２−１が押下されると、表示は画面８０３に遷移する。
【００６９】
この際、ユーザが画面８０１で用紙サイズＡ３を設定した結果、用紙サイズＡ３の設定の使用頻度が８０％を超えた場合には、Ａ３モードキー８０３−１のサイズを大サイズに変更することが確定され、キーサイズの変更が行なわれる。また、Ａ３モードキー８０３−１を大サイズにすることで他のキーに干渉してしまう場合には、レイアウトの変更が行なわれる。すなわち、画面８０３ではＡ４縦モードキーの位置を下に移動させることで、Ａ３モードキーとＡ４縦モードキーとが重ならないようにレイアウト変更されている。
【００７０】
なおレイアウトの変更としては上述の例に限らず、たとえば使用頻度の高い設定キーから順に並べて表示するなど、キーの配列を変更するレイアウト変更を行なってもよい。たとえば良く使われるキーが大きく、かつ画面上の目立つ位置に表示されると、ユーザはそのキーを認識しやすくなるし、かつそのキーが押しやすくなる。
【００７１】
［第４の実施の形態］
【００７２】
本発明の第４の実施の形態における画像形成装置のハードウェア構成については、第１の実施の形態におけるそれと同じであるためここでの説明を繰り返さない。
【００７３】
第４の実施の形態における画像形成装置は、キーサイズのほかに、キーや文字の輪郭を強調する、文字を太字にするなど、キーの表示を変更する。より詳しくは、よく使われるキーは強調表示する。
【００７４】
図１１は、画面表示変更部１５が記憶する使用頻度のしきい値と、設定キーの表示サイズおよび強調表示との関係を示すテーブルの具体例である。
【００７５】
ここではある機能設定キーの使用頻度が２０％以上であれば、小サイズで強調表示はしない、５０％以上であれば中サイズで強調表示する、８０％以上であれば大サイズで強調表示する、の設定でそのキーを表示することが記録されている。
【００７６】
図１２は、第４の実施の形態における設定キー（サイズ変更対象）を含む画面の表示処理を示すフローチャートである。
【００７７】
図を参照して、ステップＳ４０１において、各設定機能（設定キー）ごとに使用頻度を計算する（図３）。ステップＳ４０３において、使用頻度がサイズ変更のしきい値（図１１）を超えている機能設定キーがあるかを判定する。ＹＥＳであれば、ステップＳ４０５において機能設定キーの使用頻度は、強調表示を行なうしきい値を超えているかを判定する。
【００７８】
ステップＳ４０５でＹＥＳであれば、ステップＳ４０７で使用頻度によりキーサイズを変更し、かつキーの強調表示を行なう設定として、その画面表示を行なう。
【００７９】
一方ステップＳ４０５でＮＯであれば、ステップＳ４１１で使用頻度によりキーサイズを変更し、その画面表示を行なう。
【００８０】
ステップＳ４０３において、使用頻度がサイズ変更のしきい値（図１１）を超えている機能設定キーがない場合には、ステップＳ４０９で、キーのサイズがすべて通常のデフォルトの画面を表示する。
【００８１】
図１３は、第４の実施の形態における画像形成装置の操作／表示部（本体操作パネル）４の表示の変化を説明するための図である。
【００８２】
ここでは、画像形成装置の操作／表示部４でモードを設定した後に、再度モード設定画面で設定キーが表示される例について示している。図１３では、ユーザが用紙サイズＡ３と設定した結果、用紙サイズＡ３の設定の使用頻度が５０％を超えた場合を例示している。使用頻度とキーサイズおよび強調表示との関係は、図１１のマトリックスを用いて決定される。
【００８３】
操作／表示部４に画面１１０１が表示されている状態で、ユーザは用紙サイズの設定を行なう。ユーザはＡ３モードキー１１０１−１を押下して、ＯＫキー１１０１−２を押下することで、サイズ確定を行なったものとする。ＯＫキー１１０１−２が押下されると、操作／表示部４の表示内容は、画面１１０２に遷移する。画面１１０２は、画面１１０１の１つ上の階層の画面である。画面１１０２において、再度用紙サイズの設定キー１１０２−１が押下されると、表示は画面１１０３に遷移する。
【００８４】
この際、ユーザが画面１１０１で用紙サイズＡ３を設定した結果、用紙サイズＡ３の設定の使用頻度が５０％を超えた場合には、Ａ３モードキー１１０３−１のサイズを中サイズに変更することが確定され、キーサイズの変更が行なわれる。また、強調表示のしきい値を超えている場合、Ａ３モードキー１１０３−１が強調表示となる（ここではキー内の文字を太字で、斜体で表示している）。
【００８５】
［実施の形態における効果］
【００８６】
以上のように、実施の形態における画像形成装置は、設定した機能毎に使用回数をカウントする第１カウント部と、マシンの総使用回数をカウントする第２カウント部と、機能を設定するための設定部と、使用頻度に応じて設定部の表示のサイズを段階的に変更する変更部とを備える。機能の設定頻度により段階的にキーサイズを変更することで、使用頻度が高い設定キーへのアクセス性を高めることができる。
【００８７】
［その他］
【００８８】
なお、第３または第４の実施の形態の処理を第２の実施の形態に組み合わせてもよい。すなわち、ログインユーザごとに表示のレイアウトを決定したり、キーの強調表示を行なうなどである。また、第３および第４の実施の形態の処理を組み合わせてもよい。
【００８９】
本発明はＭＦＰ、ファクシミリ装置、複写機などの画像形成装置に対して実施することができる。
【００９０】
また、上述の実施の形態における処理は、ソフトウエアによって行なっても、ハードウエア回路を用いて行なってもよい。
【００９１】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００９２】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９３】
【図１】第１の実施の形態における画像形成装置の外観を示す斜視図である。
【図２】画像形成装置の制御装置のブロック図である。
【図３】モードカウント部１４が記憶する使用頻度テーブルの具体例を示す図である。
【図４】画面表示変更部１５が記憶する使用頻度のしきい値と設定キーの表示サイズの関係を示すテーブルの具体例である。
【図５】設定キー（サイズ変更対象）を含む画面の表示処理を示すフローチャートである。
【図６】操作／表示部（本体操作パネル）４の表示の変化を説明するための図である。
【図７】第２の実施の形態における設定キー（サイズ変更対象）を含む画面の表示処理を示すフローチャートである。
【図８】第２の実施の形態における画像形成装置の操作／表示部（本体操作パネル）４の表示の変化を説明するための図である。
【図９】第３の実施の形態における設定キー（サイズ変更対象）を含む画面の表示処理を示すフローチャートである。
【図１０】第３の実施の形態における操作／表示部（本体操作パネル）４の表示の変化を説明するための図である。
【図１１】画面表示変更部１５が記憶する使用頻度のしきい値と、設定キーの表示サイズおよび強調表示との関係を示すテーブルの具体例である。
【図１２】第４の実施の形態における設定キー（サイズ変更対象）を含む画面の表示処理を示すフローチャートである。
【図１３】第４の実施の形態における画像形成装置の操作／表示部（本体操作パネル）４の表示の変化を説明するための図である。
【符号の説明】
【００９４】
１  画像入力部（スキャナ）、２  画像出力部（プリンタ）、３  画像メモリ部、４  操作／表示部、５  圧縮／復号部、６  メーラ、７  制御部、８  ＲＯＭ、９  ワークメモリ、１０  通信部、１１  外部インターフェイス部、１２  ファイル変換部、１３  ユーザ認証部、１４  モードカウント部、１５  画面表示変更部。
【図１】
2008304509.tif 000003
【図２】
2008304509.tif 000004
【図３】
2008304509.tif 000005
【図４】
2008304509.tif 000006
【図５】
2008304509.tif 000007
【図６】
2008304509.tif 000008
【図７】
2008304509.tif 000009
【図８】
2008304509.tif 000010
【図９】
2008304509.tif 000011
【図１０】
2008304509.tif 000012
【図１１】
2008304509.tif 000013
【図１２】
2008304509.tif 000014
【図１３】
2008304509.tif 000015